(57)【要約】【課題】雪の滑落を抑制すると共に、頑丈でかつ施工性のよい落雪防止板及び落雪防止システムを提供する。【解決手段】落雪防止板１０Ａは、折板屋根２０Ａに取り付け可能であって、折板屋根２０Ａにおける少なくとも２組の折板屋根頂部２４にそれぞれ固定可能な２組の下ハゼ締め固定部１２ａ及び上ハゼ締め固定部１３ａと、２組の折板屋根頂部２４の間に形成されている折板屋根谷部２３において折板屋根２０Ａの折板屋根勾配とは逆向き側に傾斜するように配設された有孔板１１とを備えている。【選択図】図１
2015025342.tif 000002
【特許請求の範囲】
【請求項１】
折板屋根に取り付け可能な落雪防止板であって、
上記折板屋根における少なくとも２組の折板屋根頂部にそれぞれ固定可能な２組の被固定部と、
上記２組の折板屋根頂部の間に形成されている折板屋根谷部において上記折板屋根の折板屋根勾配とは逆向き側に傾斜するように配設された雪受け面とを備えていることを特徴とする落雪防止板。
【請求項２】
前記２組の被固定部は、折板屋根谷部が１つにてなる折板屋根の両側端に形成された２組の折板屋根頂部にそれぞれ固定可能となっていると共に、
前記雪受け面は、上記１つの折板屋根谷部において上記折板屋根の折板屋根勾配とは逆向き側に傾斜するように配設されていることを特徴とする請求項１記載の落雪防止板。
【請求項３】
前記２組の被固定部は、前記折板屋根における２組の折板屋根頂部に設けられたハゼ締め部にそれぞれ重ねてハゼ締め固定可能な２組のハゼ締め固定部からなっていることを特徴とする請求項１又は２記載の落雪防止板。
【請求項４】
前記雪受け面には、複数の孔が形成されていることを特徴とする請求項１，２又は３記載の落雪防止板。
【請求項５】
前記雪受け面は、折板屋根水下端側の端部が折板屋根頂部に位置し、かつ折板屋根水上端側の端部が折板屋根谷底部に近接して位置するように、前記折板屋根の折板屋根谷部に配設されていることを特徴とする請求項１〜４のいずれか１項に記載の落雪防止板。
【請求項６】
少なくとも前記雪受け面は金属板からなり、樹脂塗装されていることを特徴とする請求項１〜５のいずれか１項に記載の落雪防止板。
【請求項７】
前記雪受け面の孔は、６角形であることを特徴とする請求項４記載の落雪防止板。
【請求項８】
請求項１〜７のいずれか１項に記載の落雪防止板を備えた落雪防止システムであって、
折板屋根と、
上記折板屋根における軒先の上面に固定された落雪防止板と、
折板屋根水下端から一部が突出して設けられた前高樋とを備えていることを特徴とする落雪防止システム。
【請求項９】
前記落雪防止板は、前記折板屋根の流れ方向の中間部分における上面に固定されていることを特徴とする請求項８記載の落雪防止システム。
【発明の詳細な説明】
【技術分野】
【０００１】
本発明は、落雪防止板及び落雪防止システムに関するものであり、特に、金属製の折板屋根における軒先での雪の落下を防止するためのものである。
【背景技術】
【０００２】
傾斜屋根に降り積もった雪は、天候が快復すると太陽の熱や傾斜屋内の熱で雪の下面が融けて傾斜屋根を滑って軒先から落雪する。このような落雪は、時には軒先の下にある樋やその他の物を壊し、時には通行人に当たる等の危害を発生させる。
【０００３】
このため、従来、傾斜屋根の上面に突起状の雪止め金具を複数箇所に散在させる等して、落雪が発生するのを防止している。
【０００４】
しかしながら、傾斜屋根の軒先から大きな雪庇が迫り出す場合があり、この場合には、雪庇の重みに耐えかねて該傾斜屋根の軒先が破壊される場合もある。
【０００５】
そこで、このような傾斜屋根における軒先の破壊を防止するために、例えば特許文献１に開示された屋根用落雪防止装置が知られている。
【０００６】
上記特許文献１に開示された屋根用落雪防止装置１００は、図１３（ａ）（ｂ）に示すように、網製品にてなっており、傾斜屋根１０１に網１０２の上縁１０２ａを係止すると共に、傾斜屋根１０１の上面に沿って網１０２を張設し、網１０２の下縁１０２ｂを傾斜屋根１０１の軒先に取り付けられた雨樋１１０を包みこむように延在させ、網１０２にテンションを掛けて雨樋受け金具１１１に取り付けたものからなっている。
【０００７】
上記屋根用落雪防止装置１００では、傾斜屋根１０１に降り積もった雪が網１０２の網目や凹凸形状に詰まり、大量の雪が傾斜屋根１０１から一時に落下するのを防止することができる。
【先行技術文献】
【特許文献】
【０００８】
【特許文献１】特開２００３−４９５１３号公報（２００３年２月２１日公開）
【発明の概要】
【発明が解決しようとする課題】
【０００９】
しかしながら、上記従来の屋根用落雪防止装置１００では、網１０２は傾斜屋根１０１の上面に沿って張設されており、傾斜屋根１０１と並行に傾斜している。したがって、網１０２上に堆積した雪は傾斜面に存在するので、雪の滑落防止効果が不十分であるという問題点を有している。
【００１０】
また、雪の滑落防止効果が不十分であることから、軒先から迫り出した雪庇が雨樋１１０を押圧するので、雨樋１１０が破壊される虞がある。
【００１１】
さらに、網１０２は強度が弱く、かつ傾斜屋根１０１との取り付け強度を高めるために多数の接合箇所を設ける必要があるので、施工性がよくなく、多くの工数を必要とする。したがって、住宅用としての使用においてはあまり問題とはならないが、折板屋根は体育館又は工場等の大型の屋根に使用されるので、これらの問題がクローズアップされる。
【００１２】
本発明は、上記従来の問題点に鑑みなされたものであって、その目的は、雪の滑落を抑制すると共に、頑丈でかつ施工性のよい落雪防止板及び落雪防止システムを提供することにある。
【課題を解決するための手段】
【００１３】
本発明の一態様における落雪防止板は、上記課題を解決するために、折板屋根に取り付け可能な落雪防止板であって、上記折板屋根における少なくとも２組の折板屋根頂部にそれぞれ固定可能な２組の被固定部と、上記２組の折板屋根頂部の間に形成されている折板屋根谷部において上記折板屋根の折板屋根勾配とは逆向き側に傾斜するように配設された雪受け面とを備えていることを特徴としている。
【００１４】
本発明の落雪防止板は、折板屋根に取り付けられる。ここで、折板屋根は、少なくとも２組の折板屋根頂部と、該２組の折板屋根頂部の間に形成されている折板屋根谷部を有している。折板屋根谷部の数は、１つでもよいし、複数でもよい。そして、本発明の落雪防止板では、折板屋根における少なくとも２組の折板屋根頂部にそれぞれ固定可能な２組の被固定部と、上記２組の折板屋根頂部の間に形成されている折板屋根谷部において上記折板屋根の折板屋根勾配とは逆向き側に傾斜するように配設された雪受け面とを備えている。
【００１５】
この結果、雪受け面は、勾配を有する折板屋根に対して、折板屋根水下端側の端部が折板屋根水上端側の端部よりも高いか又は略水平となる。したがって、雪受け面の上に堆積された雪が滑落するのを抑制し、雪庇が形成されるのを抑制することができる。
【００１６】
ここで、雪受け面と折板屋根との間には空気層が存在するので、雪受け面に堆積された雪にはこの空気層からの暖かい熱が伝達され、該雪はこの熱で融けて水になり折板屋根勾配に沿って流れる。この結果、雪受け面に接する雪を融かして消滅させ易くすることができる。
【００１７】
また、本発明の落雪防止板は、折板屋根における少なくとも２組の折板屋根頂部にそれぞれ固定可能な２組の被固定部を備えている。このため、互いに隣接する折板屋根の２組の折板屋根頂部に落雪防止板の２組の被固定部を重ね合わせることにより、落雪防止板を固定することができる。この固定は、例えば、ハゼ締め固定、ボルト締め固定又は嵌合固定により行うことができる。
【００１８】
この結果、落雪防止板の取り付け作業において、取り付け金具が少なくて済み、工数も削減される。このように、落雪防止板を固定するための別途の作業が不要であるので、施工性がよいものとなる。
【００１９】
また、落雪防止板を１枚の板材にて形成することができる点でも施工性がよく、かつ頑丈である。さらに、折板屋根の新設時だけでなく、既設の折板屋根にも該折板屋根の折板屋根頂部をそのまま利用して取り付けることができるので、利便性がよいものとなる。
【００２０】
したがって、雪の滑落を抑制すると共に、頑丈でかつ施工性のよい落雪防止板を提供することができる。
【００２１】
本発明の一態様における落雪防止板では、前記２組の被固定部は、折板屋根谷部が１つにてなる折板屋根の両側端に形成された２組の折板屋根頂部にそれぞれ固定可能となっていると共に、前記雪受け面は、上記１つの折板屋根谷部において上記折板屋根の折板屋根勾配とは逆向き側に傾斜するように配設されていることが好ましい。
【００２２】
本発明では、折板屋根は、１つの折板屋根谷部とその両側端に形成された２組の折板屋根頂部とからなっている。このため、本発明の落雪防止板は、１つの折板屋根谷部に１つの落雪防止板が対応するものとなっている。
【００２３】
この結果、各折板屋根はその両側端に形成された２組の折板屋根頂部にてそれぞれを固定することができるので、落雪防止板においても２組の被固定部を各折板屋根の２組の折板屋根頂部を重ね合わせることにより、各折板屋根の固定方法を用いて該落雪防止板を容易に折板屋根に固定することができる。
【００２４】
本発明の一態様における落雪防止板では、前記２組の被固定部は、前記折板屋根における２組の折板屋根頂部に設けられたハゼ締め部にそれぞれ重ねてハゼ締め固定可能な２組のハゼ締め固定部からなっていることが好ましい。
【００２５】
これにより、折板屋根は、互いに隣接する折板屋根が、該折板屋根の両側端に形成された２組の折板屋根頂部に設けられたハゼ締め部にてハゼ締め固定されている。そして、本発明の落雪防止板では、２組の被固定部が、折板屋根における２組の折板屋根頂部に設けられたハゼ締め部にそれぞれ重ねてハゼ締め固定可能な２組のハゼ締め固定部からなっている。
【００２６】
この結果、折板屋根のハゼ締め部を利用して落雪防止板を容易にハゼ締め固定することができる。この結果、落雪防止板の取り付け作業において、取り付け金具が少なくて済み、工数も削減される。このように、落雪防止板を固定するための別途の作業が不要であるので、施工性がよいものとなる。
【００２７】
本発明の一態様における落雪防止板では、前記雪受け面には、複数の孔が形成されていることが好ましい。
【００２８】
これにより、雪受け面と折板屋根との間には空気層が存在し、かつ雪受け面には複数の孔が形成されているので、雪受け面に堆積された雪にはこの空気層からの暖かい熱が雪受け面及び複数の孔を介して伝達され、該雪はこの熱で融けて水になり、複数の孔を通して折板屋根勾配に沿って流れる。この結果、雪受け面の雪解け水の排水を効率よく行うことができ、融雪を促進することが可能となる。
【００２９】
本発明の一態様における落雪防止板では、前記雪受け面は、折板屋根水下端側の端部が折板屋根頂部に位置し、かつ折板屋根水上端側の端部が折板屋根谷底部に近接して位置するように、前記折板屋根の折板屋根谷部に配設されていることが好ましい。尚、折板屋根水上端側の端部が折板屋根谷底部に近接して位置するとは、折板屋根水上端側の端部が折板屋根谷底部に接触せず、折板屋根水上端側の端部と折板屋根谷底部との間に、隙間が存在すればよいことを意味する。
【００３０】
すなわち、折板屋根は、一般的に、断面三角形状又は断面台形状の折板屋根谷部を有しているので、本発明の落雪防止板の雪受け面は、この折板屋根の折板屋根谷部に配設される。具体的には、雪受け面は、折板屋根水下端側の端部が折板屋根頂部に位置し、かつ折板屋根水上端側の端部が折板屋根谷底部に近接して位置するように、前記折板屋根の折板屋根谷部に配設される。
【００３１】
このため、雪受け面を２組のハゼ締め固定部の延在方向に対して折板屋根勾配とは逆向き側に傾斜するように配設する場合に、最大の傾斜角度とすることができる、したがって、雪受け面の上に堆積された雪の滑落抑制効果及び雪庇の形成抑制を高めることができる。
【００３２】
本発明の一態様における落雪防止板では、少なくとも前記雪受け面は金属板からなり、樹脂塗装されていることが好ましい。尚、金属板は、例えばカラー鋼板、ＳＵＳ板、高耐食鋼板等を含む。
【００３３】
すなわち、雪受け面が金属板からなっている場合には、金属の熱伝導率が大きいので、雪受け面と雪との温度差が小さいものとなり、雪受け面の雪を融かす効果が小さくなる。
【００３４】
これに対して、本発明では、雪受け面が樹脂塗装されているので、金属製の雪受け面の熱伝導率を小さくすることができる。この結果、雪受け面と雪との温度差を大きくして、雪受け面の融雪効果を大きくすることができる。
【００３５】
本発明の一態様における落雪防止板では、前記雪受け面の孔は、６角形であることが好ましい。
【００３６】
これにより、雪と空気層とが接触する孔の面積を増し、かつ力学上、剛性も強くすることができる。
【００３７】
本発明の一態様における落雪防止システムは、上記課題を解決するために、上記記載の落雪防止板を備えた落雪防止システムであって、折板屋根と、上記折板屋根における軒先の上面に固定された落雪防止板と、折板屋根水下端から一部が突出して設けられた前高樋とを備えていることを特徴としている。尚、折板屋根における軒先は、軒先近傍でもよい主旨である。
【００３８】
上記の発明によれば、落雪防止システムは、折板屋根と本発明の落雪防止板とを備えているので、落雪防止板により雪の滑落を抑制することができる。特に、落雪防止板は、折板屋根における軒先の上面に固定されているので、雪庇ができ難く、軒先に堆積した雪が落下するのを防止することができる。また、落雪防止板の雪受け面と折板屋根との間には空気層が存在し、この空気層に外部の暖かい空気が通過する。このため、雪受け面に堆積された雪が融けるのを促進することができる。
【００３９】
したがって、折板屋根用の雨樋として頻繁に使用される、折板屋根水下端から一部が突出して設けられる大型の前高樋を用いても雪庇が前高樋を押圧することが殆どない。
【００４０】
すなわち、雪庇対策用として、一般的には、屋根の軒先に孔を形成し、その下面に平行樋を設けるという特別な仕様を必要とされるが、本発明では雪庇ができ難いので、折板屋根用の雨樋として頻繁に使用される前高樋を用いることができる。そして、この前高樋にて、雪受け面の上に堆積された雪を融かした水を排水することができるものとなる。
【００４１】
したがって、雪の滑落を抑制すると共に、頑丈でかつ施工性のよい落雪防止板を備えた落雪防止システムを廉価にて提供することができる。
【００４２】
本発明の一態様における落雪防止システムでは、前記落雪防止板は、前記折板屋根の流れ方向の中間部分における上面に固定されていることが好ましい。
【００４３】
これにより、落雪防止板を、軒先に設けるだけでなく、折板屋根の流れ方向の中間部分にも設ける。この結果、折板屋根の流れ方向の中間部分に設けた落雪防止板によって、勾配のある折板屋根に堆積した雪の滑落を途中で阻止することができる。したがって、軒先に堆積した雪の滑落をより抑制することに繋がる。
【発明の効果】
【００４４】
本発明の一態様によれば、雪の滑落を抑制すると共に、頑丈でかつ施工性のよい落雪防止板及び落雪防止システムを提供するという効果を奏する。
【図面の簡単な説明】
【００４５】
【図１】本発明の実施形態１における落雪防止板を示すものであって、折板屋根の軒先の取り付けられた落雪防止板を示す斜視図である。
【図２】（ａ）は金属製のハゼ締め固定方式の折板屋根の構成を示す斜視図であり、（ｂ）は隣接する折板屋根がハゼ締め固定されて連結されている状態を示す断面図である。
【図３】上記ハゼ締め固定方式の雪防止板の構成を示す斜視図である。
【図４】上記ハゼ締め固定方式の落雪防止板の構成を示す平面図である。
【図５】（ａ）〜（ｈ）は、上記ハゼ締め固定方式の落雪防止板のハゼ締め固定方式の折板屋根への取り付け方法を示す図である。
【図６】（ａ）は上記落雪防止板の効果を示す断面図であり、（ｂ）は落雪防止板が存在しない場合の雪庇を示す断面図である。
【図７】（ａ）は本発明の実施形態２における落雪防止板を示すものであって、金属製のボルト固定方式の折板屋根の構成を示す斜視図であり、（ｂ）は隣接する折板屋根がボルト固定方式にて固定されて連結されている状態を示す断面図である。
【図８】ボルト固定方式の上記落雪防止板の構成を示す斜視図である。
【図９】折板屋根の軒先の取り付けられたボルト固定方式の落雪防止板を示す斜視図である。
【図１０】（ａ）は本発明の実施形態２における落雪防止板の変形例を示すものであって、金属製の嵌合固定方式の折板屋根の構成を示す斜視図であり、（ｂ）は隣接する折板屋根が嵌合固定方式にて固定されて連結されている状態を示す断面図である。
【図１１】本発明の実施形態３における落雪防止板を示すものであって、落雪防止板が軒先と折板屋根の流れ方向の中間との両方に設けられた状況を示す斜視図である。
【図１２】（ａ）は本発明の実施形態４における落雪防止板を備えた落雪防止システムの構成を示す断面図であり、（ｂ）は落雪防止板が存在しない落雪防止システムの構成を示す断面図である。
【図１３】（ａ）は従来の屋根用落雪防止装置の構成を示す正面図であり、（ｂ）は上記従来の屋根用落雪防止装置の構成を示す断面図である。
【発明を実施するための形態】
【００４６】
〔実施の形態１〕
本発明の一実施形態について図１〜図６に基づいて説明すれば、以下のとおりである。
【００４７】
本実施の形態における落雪防止板は、金属製の折板屋根の軒先又は軒先近傍に取り付けられ、該軒先からの落雪を防止するものである。
【００４８】
上記落雪防止板の構成について、図１〜図４に基づいて説明する。図１は折板屋根の軒先の取り付けられた落雪防止板の構成を示す斜視図である。図２（ａ）は金属製のハゼ締め固定方式の折板屋根の構成を示す斜視図であり、図２（ｂ）は隣接する折板屋根がハゼ締め固定されて連結されている状態を示す断面図である。図３は、ハゼ締め固定方式の落雪防止板の構成を示す斜視図である。図４は、ハゼ締め固定方式の落雪防止板の構成を示す平面図である。
【００４９】
本実施の形態の落雪防止板が取り付けられる折板屋根２０Ａは、図２（ａ）に示すように、金属製の折板からなっている。金属板は、例えばカラー鋼板、ＳＵＳ板、高耐食鋼板等を含むものとなっている。この折板屋根２０Ａは、ハゼ締め固定方式の折板屋根であり、図２（ｂ）に示すように、隣接する折板屋根２０Ａ・２０Ａ同士が互いの下ハゼ用縁部２１ａと上ハゼ用縁部２２ａとを重ね合わせてハゼ締め固定されて連結されるようになっている。尚、本実施の形態では、ハゼ締め固定方式の折板屋根２０Ａに、ハゼ締め固定方式の落雪防止板を取り付けることについて説明する。ただし、本発明においては、必ずしもこれに限らず、折板屋根がボルト固定方式であれば、ボルト固定方式の落雪防止板を採用することができ、折板屋根が嵌合固定方式であれば、嵌合固定方式の落雪防止板を採用することができるものとなっている。これらボルト固定方式の落雪防止板及び嵌合固定方式の落雪防止板については、後述する実施の形態２・３にて説明する。
【００５０】
ここで、図２（ａ）に示すハゼ締め固定方式の折板屋根２０Ａは、折板屋根谷部２３が断面台形となっているが、必ずしもこれに限らず、折板屋根谷部２３が断面三角形となっていてもよい。また、図２（ａ）に示すハゼ締め固定方式の折板屋根２０Ａの折板屋根谷部２３は、平面板からなっているが、必ずしもこれに限らず、平面板にリブが形成されているものであってもよい。さらに、下ハゼ用縁部２１ａ及び上ハゼ用縁部２２ａは、図２（ａ）（ｂ）においては、角型のものからなっているが、必ずしもこれに限らず、丸型のものであってもよい。
【００５１】
本実施の形態のハゼ締め固定方式の落雪防止板１０Ａは、図３及び図４に示すように、複数の孔１１ａを有する有孔板１１と、この有孔板１１の両側に延設される延設部１２・１３とからなっている。延設部１２・１３の両端縁には、それぞれ下ハゼ締め固定部１２ａと上ハゼ締め固定部１３ａとが形成されている。上ハゼ締め固定部１３ａには、流れ方向に沿って３等分する位置にスリットＳ・Ｓが形成されており、このスリットＳ・Ｓが存在することによって、図示しないハゼ締め機のハゼ締め長さ毎にハゼ締めできるようになっている。この結果、落雪防止板１０Ａの板厚さを例えば０．８〜２．０ｍｍとすることができ、これによって、落雪防止板１０Ａをより頑丈な物とすることができる。
【００５２】
また、有孔板１１の水下端１１ｃには、立設板１１ｂが立ち上げ形成されており、この立設板１１ｂによって、雪が堰き止められ、雪の滑落が一層抑制されるようになっている。尚、この立設板１１ｂは、本発明では、必ずしも必須ではないが、存在する方が好ましい。
【００５３】
上記有孔板１１の孔１１ａは、図３及び図４に示すように、本実施の形態では、正６角形となっており、これにより、該孔１１ａの面積を増し、かつ力学上、有孔板１１の剛性も強くすることができるものとなっている。ただし、必ずしも正６角形に限らず、６角形でもよい。また、３角形、４角形、５角形等の他の多角形でもよく、又は円若しくは楕円等でもよい。さらに、本実施の形態では、孔１１ａは有孔板１１にのみ形成されているが、必ずしもこれに限らず、例えば延設部１２・１３にも穿設されていてもよい。
【００５４】
また、上記有孔板１１は、図１に示すように、水下端１１ｃが折板屋根頂部２４に位置し、かつ水上端１１ｄが折板屋根谷底部２３ａに近接して位置するようになっている。尚、水上端１１ｄが折板屋根谷底部２３ａに近接して位置するとは、水上端１１ｄが折板屋根谷底部２３ａに接触せず、水上端１１ｄと折板屋根谷底部２３ａとの間に、隙間が存在することを意味する。すなわち、この隙間は、雨が降ったときに、雨水が落雪防止板１０Ａによって堰き止められることなく、折板屋根谷底部２３ａの勾配に沿って流れるようにするためである。
【００５５】
上記落雪防止板１０Ａの働き巾は、折板屋根２０Ａの働き巾に対応して、例えば２００ｍｍ〜６００ｍｍとなっていると共に、落雪防止板１０Ａの流れ方向長さは、折板屋根２０Ａの軒先寸法に対応して例えば１５０ｍｍ〜６００ｍｍとなっている。ただし、落雪防止板１０Ａの働き巾及び流れ方向長さは必ずしも上記寸法には限らない。
【００５６】
また、本実施の形態のハゼ締め固定方式の落雪防止板１０Ａは、下ハゼ締め固定部１２ａ及び上ハゼ締め固定部１３ａにてハゼ締め固定できるように、金属製に板材からなっている。金属製に板材は、例えばカラー鋼板、ＳＵＳ板、高耐食鋼板等である。、
しかしながら、金属は熱伝導率が良いので、落雪防止板１０Ａに堆積された雪を十分に融かすことができない。そこで、本実施の形態では、落雪防止板１０Ａに樹脂塗装を施している。樹脂塗装の樹脂材料としては、例えば、ポリエチレン樹脂、塩化ビニル樹脂、ナイロン、エポキシ樹脂、ポリエステル樹脂、エポキシポリエステル樹脂を用いることができる。
【００５７】
これにより、落雪防止板１０Ａの熱伝導率を悪くさせ、大気の自然温度での融雪の寄与させることができる。このため、樹脂塗装の色は、熱の吸収の観点から黒色が好ましい。ただし、必ずしもこれに限らず、折板屋根２０Ａの色とのバランスを考えて例えば銀色とすることも可能である。また、他の色であってもよい。
【００５８】
また、本実施の形態の落雪防止板１０Ａは、後述する図６（ａ）に示すように、折板屋根２０Ａの軒先部分に取り付けされる。ただし、厳密に軒先部分に収まる必要はなく、水上端１１ｄが軒先部分よりも水上側に張り出していてもよい。また、落雪防止板１０Ａの水下端１１ｃは、折板屋根水下端２５に一致するか、又はその近傍であることが好ましい。落雪防止板１０Ａの水下端１１ｃと折板屋根水下端２５との間隔が大きくなると、その部分に雪が堆積して滑落するためである。
【００５９】
上記構成のハゼ締め固定方式の落雪防止板１０Ａのハゼ締め固定方式の折板屋根２０Ａへの取り付け方法について、図５（ａ）〜（ｈ）に基づいて説明する。図５（ａ）〜（ｈ）は、ハゼ締め式の落雪防止板１０Ａのハゼ締め固定方式の折板屋根２０Ａへの取り付け方法を示す図である。
【００６０】
落雪防止板１０Ａを折板屋根２０Ａに取り付けるときには、図２（ｂ）に示すように、互いに隣接する折板屋根２０Ａをハゼ締め固定しておく。この状態で、落雪防止板１０Ａを折板屋根２０Ａに取り付け固定する。したがって、本実施の形態の落雪防止板１０Ａは、折板屋根２０Ａの新設時の取り付けだけでなく、折板屋根２０Ａが既に葺かれた後においても、該落雪防止板１０Ａの取り付け工事を行うことができる。
【００６１】
まず、図５（ａ）に示す右側の落雪防止板１０Ａの下ハゼ締め固定部１２ａを図５（ａ）に示す右側の折板屋根２０Ａの軒先部分における右端縁の下ハゼ用縁部２１ａの内側に差し込む。尚、このとき、図５（ａ）に示す左側の落雪防止板１０Ａの下ハゼ締め固定部１２ａは既に同様にして左側の折板屋根２０Ａの右端縁の下ハゼ用縁部２１ａの内側に差し込まれており、かつ左側の落雪防止板１０Ａの左端縁のハゼ締め固定は終了している。
【００６２】
次いで、図５（ｂ）に示す右側の落雪防止板１０Ａの上ハゼ締め固定部１３ａを右側の折板屋根２０Ａの上ハゼ用縁部２２ａの上側から落とし込む。
【００６３】
この状態で、図５（ｃ）及び図５（ｄ）に示すように、略スリットＳまでの長さを有するハゼ締め機にて流れ方向の一方の端部側の１／３長さをハゼ締め固定する。次いで、図５（ｅ）及び図５（ｆ）に示すように、流れ方向の中央の１／３長さを同様にして、ハゼ締め固定する。さらに、図５（ｇ）に示すように、流れ方向の他方の端部側の１／３長さを同様にして、ハゼ締め固定する。
【００６４】
これにより、図５（ｈ）に示す左側の落雪防止板１０Ａにおける下ハゼ締め固定部１２ａと右側の落雪防止板１０Ａにおける上ハゼ締め固定部１３ａとが同時に、隣接する折板屋根２０Ａ・２０Ａの下ハゼ用縁部２１ａ及び上ハゼ用縁部２２ａに一体にハゼ締め固定される。
【００６５】
以下、さらに右側の落雪防止板１０Ａについて、同様にして取り付けていく。これにより、折板屋根２０Ａの軒先における折板屋根谷部２３毎に、落雪防止板１０Ａを連続して取り付けることができる。
【００６６】
このように、本実施の形態の落雪防止板１０Ａは、折板屋根２０Ａに取り付け可能な落雪防止板であって、折板屋根２０Ａにおける少なくとも２組の折板屋根頂部２４にそれぞれ固定可能な２組の被固定部と、上記２組の折板屋根頂部２４の間に形成されている折板屋根谷部２３において折板屋根２０Ａの折板屋根勾配とは逆向き側に傾斜するように配設された雪受け面としての有孔板１１とを備えている。
【００６７】
すなわち、本実施の形態の落雪防止板１０Ａは、折板屋根２０Ａに取り付けられる。ここで、折板屋根２０Ａは、少なくとも２組の折板屋根頂部２４と、該２組の折板屋根頂部２４の間に形成されている折板屋根谷部２３を有している。折板屋根谷部２３の数は、１つでもよいし、複数でもよい。そして、本実施の形態の落雪防止板１０Ａでは、折板屋根２０Ａにおける少なくとも２組の折板屋根頂部２４にそれぞれ固定可能な２組の被固定部と、上記２組の折板屋根頂部２４の間に形成されている折板屋根谷部２３において折板屋根２０Ａの折板屋根勾配とは逆向き側に傾斜するように配設された有孔板１１とを備えている。
【００６８】
この結果、有孔板１１は、図６（ａ）に示すように、勾配を有する折板屋根２０Ａに対して、折板屋根水下端２５側の端部である水下端１１ｃが折板屋根水上端側の端部である水上端１１ｄよりも高いか又は略水平となる。したがって、有孔板１１の上に堆積された雪が滑落するのを抑制し、図６（ｂ）に示す雪庇又はツララが形成されるのを抑制することができる。また、雪庇又はツララが形成ないことから、雨樋又は雨樋支持金物の破損を防ぐことができる。
【００６９】
ここで、有孔板１１と折板屋根２０Ａとの間には空気層が存在するので、有孔板１１に堆積された雪にはこの空気層からの暖かい熱が伝達され、該雪はこの熱で融けて水になり折板屋根勾配に沿って流れる。この結果、有孔板１１に接する雪を融かして消滅させ易くすることができる。
【００７０】
また、本実施の形態の落雪防止板１０Ａは、折板屋根２０Ａにおける少なくとも２組の折板屋根頂部２４にそれぞれ固定可能な２組の被固定部を備えている。このため、互いに隣接する折板屋根２０Ａの２組の折板屋根頂部２４に落雪防止板１０Ａの２組の被固定部を重ね合わせることにより、落雪防止板１０Ａを固定することができる。この固定は、例えば、ハゼ締め固定、ボルト締め固定又は嵌合固定により行うことができる。
【００７１】
この結果、落雪防止板１０Ａの取り付け作業において、取り付け金具が少なくて済み、工数も削減される。このように、落雪防止板１０Ａを固定するための別途の作業が不要であるので、施工性がよいものとなる。
【００７２】
また、落雪防止板１０Ａを１枚の板材にて形成することができる点でも施工性がよく、かつ頑丈である。さらに、折板屋根２０Ａの新設時だけでなく、既設の折板屋根２０Ａにも該折板屋根２０Ａの折板屋根頂部２４をそのまま利用して取り付けることができるので、利便性がよいものとなる。
【００７３】
したがって、雪の滑落を抑制すると共に、頑丈でかつ施工性のよい落雪防止板１０Ａを提供することができる。
【００７４】
また、本実施の形態の落雪防止板１０Ａでは、２組の被固定部は、折板屋根谷部２３が１つにてなる折板屋根２０Ａの両側端に形成された２組の折板屋根頂部２４にそれぞれ固定可能となっていると共に、有孔板１１は、１つの折板屋根谷部２３において折板屋根２０Ａの折板屋根勾配とは逆向き側に傾斜するように配設されている。
【００７５】
すなわち、本実施の形態では、折板屋根２０Ａは、１つの折板屋根谷部２３とその両側端に形成された２組の折板屋根頂部２４とからなっている。このため、本実施の形態の落雪防止板１０Ａは、１つの折板屋根谷部２３に１つの落雪防止板１０Ａが対応するものとなっている。
【００７６】
この結果、各折板屋根２０Ａはその両側端に形成された２組の折板屋根頂部２４にてそれぞれを固定することができるので、落雪防止板１０Ａにおいても２組の被固定部を各折板屋根２０Ａの２組の折板屋根頂部２４を重ね合わせることにより、各折板屋根２０Ａの固定方法を用いて該落雪防止板１０Ａを容易に折板屋根２０Ａに固定することができる。
【００７７】
また、本実施の形態の落雪防止板１０Ａでは、２組の被固定部は、折板屋根２０Ａにおける２組の折板屋根頂部２４に設けられたハゼ締め部としての下ハゼ用縁部２１ａ及び上ハゼ用縁部２２ａにそれぞれ重ねてハゼ締め固定可能な２組のハゼ締め固定部としての下ハゼ締め固定部１２ａ及び上ハゼ締め固定部１３ａからなっている。
【００７８】
これにより、折板屋根２０Ａは、互いに隣接する折板屋根２０Ａが、該折板屋根２０Ａの両側端に形成された２組の折板屋根頂部２４に設けられた下ハゼ用縁部２１ａ及び上ハゼ用縁部２２ａにてハゼ締め固定されている。そして、本実施の形態の落雪防止板１０Ａでは、２組の被固定部としての下ハゼ締め固定部１２ａ及び上ハゼ締め固定部１３ａが、折板屋根２０Ａにおける２組の折板屋根頂部２４に設けられた下ハゼ用縁部２１ａ及び上ハゼ用縁部２２ａにそれぞれ重ねてハゼ締め固定可能な２組の下ハゼ締め固定部１２ａ及び上ハゼ締め固定部１３ａからなっている。
【００７９】
この結果、折板屋根２０Ａの下ハゼ用縁部２１ａ及び上ハゼ用縁部２２ａを利用して落雪防止板１０Ａを容易にハゼ締め固定することができる。この結果、落雪防止板１０Ａの取り付け作業において、取り付け金具が少なくて済み、工数も削減される。このように、落雪防止板１０Ａを固定するための別途の作業が不要であるので、施工性がよいものとなる。
【００８０】
また、本実施の形態の落雪防止板１０Ａでは、雪受け面としての有孔板１１には、複数の孔１１ａが形成されている。これにより、有孔板１１と折板屋根２０Ａとの間には空気層Ｐが存在し、かつ有孔板１１には複数の孔１１ａが形成されているので、有孔板１１に堆積された雪にはこの空気層Ｐからの暖かい熱が有孔板１１及び複数の孔１１ａを介して伝達され、該雪はこの熱で融けて水になり、複数の孔１１ａを通して折板屋根勾配に沿って流れる。この結果、有孔板１１の雪解け水の排水を効率よく行うことができ、融雪を促進することが可能となる。
【００８１】
また、本実施の形態の落雪防止板１０Ａでは、雪受け面としての有孔板１１は、折板屋根水下端２５側の端部としての水下端１１ｃが折板屋根頂部２４に位置し、かつ折板屋根水上端側の端部としての水上端１１ｄが折板屋根谷底部２３ａに近接して位置するように、折板屋根２０Ａの折板屋根谷部２３に配設されている。尚、折板屋根水上端側の水上端１１ｄが折板屋根谷底部２３ａに近接して位置するとは、折板屋根水上端側の水上端１１ｄが折板屋根谷底部２３ａに接触せず、折板屋根水上端側の水上端１１ｄと折板屋根谷底部２３ａとの間に、隙間が存在すればよいことを意味する。
【００８２】
すなわち、折板屋根２０Ａは、一般的に、断面三角形状又は断面台形状の折板屋根谷部２３を有しているので、本実施の形態の落雪防止板１０Ａの有孔板１１は、この折板屋根２０Ａの折板屋根谷部２３に配設される。具体的には、有孔板１１は、折板屋根水下端２５側の水下端１１ｃが折板屋根頂部２４に位置し、かつ折板屋根水上端側の水上端１１ｄが折板屋根谷底部２３ａに近接して位置するように、折板屋根２０Ａの折板屋根谷部２３に配設される。
【００８３】
このため、有孔板１１を２組の下ハゼ締め固定部１２ａ及び上ハゼ締め固定部１３ａの延在方向に対して折板屋根勾配とは逆向き側に傾斜するように配設する場合に、最大の傾斜角度とすることができる、したがって、有孔板１１の上に堆積された雪の滑落抑制効果及び雪庇の形成抑制を高めることができる。
【００８４】
また、本実施の形態の落雪防止板１０Ａでは、少なくとも雪受け面としての有孔板１１は金属板からなり、樹脂塗装されている。尚、金属板は、例えばカラー鋼板、ＳＵＳ板、高耐食鋼板等を含む。
【００８５】
すなわち、有孔板１１が金属板からなっている場合には、金属の熱伝導率が大きいので、有孔板１１と雪との温度差が小さいものとなり、有孔板１１の雪を融かす効果が小さくなる。また、逆に、氷点下の冷気で、金属板の落雪防止板１０Ａが冷やされ、却って、有孔板１１上の雪を凍結させる。
【００８６】
これに対して、本実施の形態では、有孔板１１が樹脂塗装されているので、金属製の有孔板１１の熱伝導率を小さくすることができる。この結果、有孔板１１と雪との温度差を大きくして、有孔板１１の融雪効果を大きくすることができる。
【００８７】
また、本実施の形態の落雪防止板１０Ａでは、雪受け面としての有孔板１１の孔１１ａは、６角形である。これにより、雪と空気層Ｐとが接触する孔１１ａの面積を増し、かつ力学上、剛性も強くすることができる。
【００８８】
〔実施の形態２〕
本発明の他の実施の形態について図７〜図１０に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００８９】
前記実施の形態１の落雪防止板１０Ａは、折板屋根２０Ａが下ハゼ用縁部２１ａと上ハゼ用縁部２２ａとを有しており、隣接する折板屋根２０Ａ・２０Ａ同士が互いの下ハゼ用縁部２１ａと上ハゼ用縁部２２ａとを重ね合わせてハゼ締め固定されて連結されるようになっていた。したがって、落雪防止板１０Ａもこの下ハゼ用縁部２１ａと上ハゼ用縁部２２ａとに重ねてハゼ締め固定できるように、下ハゼ締め固定部１２ａ及び上ハゼ締め固定部１３ａを備えていた。
【００９０】
これに対して、本実施の形態の折板屋根２０Ｂは、隣接する折板屋根２０Ｂ・２０Ｂ同士がボルト固定方式にて連結されるようになっている。したがって、本実施の形態の落雪防止板１０Ｂも、ボルト固定方式の折板屋根２０Ｂに合わせて、ボルト固定方式にて折板屋根２０Ｂに固定されるようになっている点が異なっている。
【００９１】
最初に、本実施の形態のボルト固定方式にて連結固定される折板屋根２０Ｂの構成について、図７（ａ）（ｂ）に基づいて説明する。図７（ａ）はボルト固定方式にて連結固定される金属製の折板屋根の構成を示す斜視図であり、図７（ｂ）は隣接する折板屋根がボルト固定方式にて固定されて連結されている状態を示す断面図である。
【００９２】
本実施の形態のボルト固定方式の落雪防止板１０Ｂが取り付けられるボルト固定方式の折板屋根２０Ｂは、図７（ａ）に示すように、金属製の折板からなっている。この折板屋根２０Ｂは、図７（ｂ）に示すように、隣接する折板屋根２０Ｂ・２０Ｂ同士が互いの下縁部２１ｂと上縁部２２ｂとを重ね合わせてボルト２６及びナット２７にてボルト固定されて連結されるようになっている。ここで、図７（ａ）に示す折板屋根２０Ｂでは、折板屋根谷部２３が２個設けられているが、必ずしもこれに限らず、折板屋根谷部２３は、１個又は３個以上であってもよい。また、図７（ａ）に示す折板屋根２０Ｂの折板屋根谷部２３の幅は、前記実施の形態１にて説明した折板屋根２０Ａの折板屋根谷部２３の折板屋根谷底部２３ａの幅よりも小さいものとなっている。この結果、前記実施の形態１にて説明した折板屋根２０Ａの折板屋根谷部２３は、断面が台形となっていたが、本実施の形態の折板屋根２０Ｂの折板屋根谷部２３は、断面が三角形に近いものとなっている。すなわち、折板屋根谷部２３の断面形状については、種々の形状のものを適用することが可能である。
【００９３】
次に、上記ボルト固定方式により連結される折板屋根２０Ｂに取り付けられるボルト固定方式の落雪防止板１０Ｂの構成について、図８に基づいて説明する。図８は、ボルト固定方式により連結される折板屋根に取り付けられるボルト固定方式の落雪防止板の構成を示す斜視図である。
【００９４】
本実施の形態の落雪防止板１０Ｂは、図８に示すように、複数の孔１１ａを有する有孔板１１と、この有孔板１１の両側に延設される延設部１２・１３とからなっている。延設部１２・１３の両端縁には、それぞれ下固定部１２ｂと上固定部１３ｂとが形成されている。下固定部１２ｂ及び上固定部１３ｂには、ねじ止め固定するためのねじ穴１４・１４が設けられている。落雪防止板１０Ｂの板厚さは例えば１．６〜２．０ｍｍとなっており、これによって、落雪防止板１０Ｂをより頑丈な物とすることができる。
【００９５】
他の構成は、実施の形態１にて説明した落雪防止板１０Ａの構成と同じであるので、その説明を省略する。
【００９６】
上記構成のボルト固定方式の落雪防止板１０Ｂにおけるボルト固定方式の折板屋根２０Ｂへの取り付け方法について、図９に基づいて説明する。図９は、ボルト固定方式の落雪防止板１０Ｂにおけるボルト固定方式の折板屋根２０Ｂへの取り付け状態を示す斜視図である。尚、以下の説明では、互いに隣接する折板屋根２０Ｂが既にボルト締め固定されているとして説明する。このように、本実施の形態の落雪防止板１０Ｂは、折板屋根２０Ｂの新設時の取り付けだけでなく、折板屋根２０Ｂが既に葺かれた後においても、該落雪防止板１０Ｂの取り付け工事を行うことができるものとなっている。
【００９７】
本実施の形態の落雪防止板１０Ｂをボルト固定方式にて連結される折板屋根２０Ｂに取り付けるときには、隣接する折板屋根２０Ｂ・２０Ｂをボルト締め固定するボルト２６及びナット２７等を利用する。
【００９８】
まず、折板屋根２０Ｂの下縁部２１ｂと上縁部２２ｂとを重ねてボルト締め固定しているナット２７をボルト２６から外し、折板屋根２０Ｂの上縁部２２ｂに、互いに隣接する一方の落雪防止板１０Ｂの下固定部１２ｂと他方の落雪防止板１０Ｂの上固定部１３ｂとを重ねて載置し、落雪防止板１０Ｂのねじ穴１４・１４に通す。そして、ボルト２６にナット２７を螺合させ、締結する。尚、ボルト２６は一般的には例えば図示しない吊り子に支持されており、ナット２７を外したボルト２６が落下することはない。
【００９９】
これにより、折板屋根２０Ｂ・２０Ｂをボルト固定方式にて固定するボルト２６及びナット２７を利用した落雪防止板１０Ｂの固定が終了する。
【０１００】
ここで、本実施の形態の折板屋根２０Ｂは、２つの折板屋根谷部２３・２３を有しているので、折板屋根２０Ｂの働き巾方向の中央の折板屋根頂部２４への固定が問題となる。
【０１０１】
これに対して、本実施の形態では、折板屋根２０Ｂの働き巾方向の中央の折板屋根頂部２４へ落雪防止板１０Ｂの互いに隣接する一方の落雪防止板１０Ｂの下固定部１２ｂと他方の落雪防止板１０Ｂの上固定部１３ｂとを重ねて載置した後、ねじ穴１４・１４の直下の折板屋根２０Ｂに孔をあける。そして、落雪防止板１０Ｂの上側から、落雪防止板１０Ｂのねじ穴１４及び折板屋根２０Ｂに孔にブラインドリベット２８・２８を通して、落雪防止板１０Ｂを折板屋根２０Ｂの働き巾方向の中央の折板屋根頂部２４に取り付ける。これにより、折板屋根２０Ｂ・２０Ｂをねじ止め固定するボルト２６及びナット２７を利用しなくても落雪防止板１０Ｂを外側から固定することができる。
【０１０２】
ここで、ブラインドリベット２８は、片側締結工法ながら両サイドから固定するメカニズムを有しており、緊密な締結を可能とするものである。具体的には、釘のように見える心棒を空気圧や電動・手動等のリベッターにて作業者側へ引っ張ることによって、円筒状のリベット内側を変形させ、心棒を引きちぎることによりかしめる。これによって、本来なら、ボルト・ナットによる両側での作業が必要となるが、ブラインドリベット２８・２８を用いた場合には、片側からのみの作業にて両者を締結することができる。
【０１０３】
尚、折板屋根２０Ｂの新設葺きの場合には、折板屋根２０Ｂの働き巾方向の中央の折板屋根頂部２４にボルト２６及びナット２７のための穴をあけることにより、折板屋根２０Ｂ・２０Ｂをねじ止め固定するボルト２６及びナット２７を利用した落雪防止板１０Ｂの固定を行うことができる。
【０１０４】
このように、本実施の形態の落雪防止板１０Ｂでは、２組の被固定部は、ボルト固定方式の折板屋根２０Ｂにおける２組の折板屋根頂部２４に設けられた下縁部２１ｂと上縁部２２ｂとにそれぞれ重ねてボルト締め固定可能な２組の被固定部としての下固定部１２ｂと上固定部１３ｂとからなっている。
【０１０５】
この結果、折板屋根２０Ｂの下縁部２１ｂ及び上縁部２２ｂを利用して折板屋根２０Ｂを容易にボルト締め固定することができる。この結果、折板屋根２０Ｂの取り付け作業において、取り付け金具が少なくて済み、工数も削減される。このように、落雪防止板１０Ａを固定するための別途の作業が不要であるので、施工性がよいものとなる。
【０１０６】
尚、実施の形態１においては、隣接する折板屋根２０Ａ・２０Ａ同士がハゼ締め固定方式にて連結固定される折板屋根２０Ａに取り付けられる落雪防止板１０Ａについて説明し、本実施の形態２においては、隣接する折板屋根２０Ｂ・２０Ｂ同士がボルト孤影方式にて連結固定される折板屋根２０Ｂに取り付けられる落雪防止板１０Ｂについて説明した。
【０１０７】
しかし、本発明の落雪防止板は、必ずしもこれに限定されず、例えば、嵌合固定される折板屋根２０Ｃ・２０Ｃに適用することも可能である。
【０１０８】
すなわち、嵌合固定方式の折板屋根２０Ｃ・２０Ｃは、図１０に示すように、互いに隣接する折板屋根２０Ｃ・２０Ｃの各立ち上げ部の間に、断面コの字状の通し吊子が嵌合され、この通し吊子がボルトで固定された後、折板屋根２０Ｃ・２０Ｃの各立ち上げ部と通し吊子とを一体にしてキャップが被されるようになっている。本発明では、このような嵌合方式にて結合される折板屋根２０Ｃ・２０Ｃにおいても、所定の固定部を有する落雪防止板とすることにより、取り付け可能となっている。
【０１０９】
〔実施の形態３〕
本発明の他の実施の形態について図１１に基づいて説明すれば、以下のとおりである。尚、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【０１１０】
前記実施の形態１の落雪防止板１０Ａ及び実施の形態２の落雪防止板１０Ｂは、折板屋根２０Ａ・２０Ｂの軒先の取り付けられたものであった。
【０１１１】
しかしながら、落雪防止板１０Ａ及び落雪防止板１０Ｂの取り付け部については、折板屋根２０Ａ・２０Ｂの軒先に限らず、折板屋根２０Ａ・２０Ｂの流れ方向の中間部分又は中間部分よりも上流側でもよい。
【０１１２】
すなわち、本実施の形態の落雪防止システム１では、図１１に示すように、落雪防止板１０Ｂを折板屋根２０Ｂの軒先に取り付けていると共に、落雪防止板１０Ｂを折板屋根２０Ｂの流れ方向の中間部分にも取り付けている。ここで、折板屋根２０Ｂの流れ方向の中間部分に設けた落雪防止板１０Ｂは、折板屋根２０Ｂの軒先に設けた落雪防止板１０Ｂよりも流れ方向の寸法を短くすることが可能である。
【０１１３】
これにより、落雪防止板１０Ｂを、軒先に設けるだけでなく、折板屋根２０Ｂの流れ方向の中間部分にも設ける。この結果、折板屋根２０Ｂの流れ方向の中間部分に設けた落雪防止板１０Ｂによって、勾配のある折板屋根２０Ｂに堆積した雪の滑落を途中で阻止することができる。したがって、軒先に堆積した雪の滑落をより抑制することに繋がる。
【０１１４】
尚、本実施の形態では、実施の形態２にて説明したボルト固定方式の落雪防止板１０Ｂをボルト固定方式の折板屋根２０Ｂの軒先のみならず、折板屋根２０Ｂの流れ方向の中間部分に取り付けた場合について説明した。しかし、折板屋根の流れ方向の中間部分に取り付ける落雪防止板は、必ずしもボルト固定方式の折板屋根２０Ｂと落雪防止板１０Ｂとの組み合わせに限らず、実施の形態２において変形例として説明した嵌合固定方式の折板屋根２０Ｃと落雪防止板１０Ｃとの組み合わせであってもよい。或いは、実施の形態１において説明したハゼ締め固定方式の折板屋根２０Ａと落雪防止板１０Ａとの組み合わせであってもよい。
【０１１５】
〔実施の形態４〕
本発明の他の実施の形態について図１２に基づいて説明すれば、以下のとおりである。尚、本実施の形態において説明すること以外の構成は、前記実施の形態１〜実施の形態３と同じである。また、説明の便宜上、前記の実施の形態１〜実施の形態３の図面に示した部材と同一の機能を有する部材については、同一の符号を付し、その説明を省略する。
【０１１６】
本実施の形態では、前記実施の形態１の落雪防止板１０Ａを備えた落雪防止システムについて説明する。
【０１１７】
上記落雪防止システムの構成を、図１２（ａ）（ｂ）に基づいて説明する。図１２（ａ）は、本実施の形態の落雪防止板を備えた落雪防止システムの構成を示す断面図であり、図１２（ｂ）は、落雪防止板が存在しない落雪防止システムの構成を示す断面図である。
【０１１８】
本実施の形態の落雪防止システム１は、図１２（ａ）に示すように、金属製の折板屋根２０Ａと、折板屋根２０Ａにおける軒先の上面に固定された上面に固定された落雪防止板１０Ａと、折板屋根水下端２５から一部が突出して設けられた前高樋２とを備えている。
【０１１９】
上記前高樋２は、折板屋根水下端２５に設けられる樋であり、前面側壁２ａが後面側壁２ｂよりも高くなっており、折板屋根用の雨樋として頻繁に使用される大型の樋である。この前高樋２は、折板屋根水下端２５から前面側壁２ａが突出して取り付けられている。
【０１２０】
上記構成の落雪防止システム１では、折板屋根２０Ａと実施の形態１にて説明した落雪防止板１０Ａとを備えているので、落雪防止板１０Ａにより雪の滑落を抑制することができる。したがって、折板屋根用の雨樋として頻繁に使用される、折板屋根水下端２５から前面側壁２ａが突出して設けられる大型の前高樋２を用いても雪庇が前高樋２を押圧することが殆どない。
【０１２１】
すなわち、雪庇対策用として、一般的には、図１２（ｂ）に示すように、折板屋根２２０の軒先に孔２０１を形成し、その下面に平行樋２０２を設けるという特別な仕様を必要とされる。ここで、平行樋２０２とは、前面側壁２０２ａの高さと後面側壁２ｂの高さが同じになっている樋をいう。
【０１２２】
このため、折板屋根２２０の軒先に孔２０１を形成する作業が増加し、また、折板屋根２２０に孔２０１を形成するので、折板屋根２２０の軒先部分の強度が低下することにもなる。
【０１２３】
しかしながら、本実施の形態の落雪防止システム１の落雪防止板１０Ａでは、雪庇ができ難いので、雨樋が壊れることはなく、この結果、折板屋根用の雨樋として頻繁に使用される前高樋２を用いることができる。そして、この前高樋２にて、有孔板１１の上に堆積された雪を融かした水を排水することができるものとなる。この結果、雪解け水のみならず、折板屋根２０Ａに降り注いだ普段の雨水についても効率よく前高樋２にて取り込み、排水できるものとなる。
【０１２４】
したがって、雪の滑落を抑制すると共に、頑丈でかつ施工性のよい落雪防止板１０Ａを備えた落雪防止システム１を廉価にて提供することができる。
【０１２５】
尚、上記の説明では、本実施の形態の落雪防止システム１として、実施の形態１の落雪防止板１０Ａを使用したものについて説明した。しかし、本発明においては、必ずしもこれに限らず、実施の形態２の落雪防止板１０Ｂ又は落雪防止板１０Ｃを使用した落雪防止システム１とすることも可能である。
【０１２６】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２７】
本発明は、落雪防止板及び落雪防止システムに関するものであり、特に、金属製の折板屋根における軒先での雪の落下を防止に好適に利用できる。また、新設の折板屋根葺き工事だけでなく、既設の折板屋根にも落雪防止板を容易に取り付けることができる。
【符号の説明】
【０１２８】
１        落雪防止システム
２        前高樋
２ａ      前面側壁
２ｂ      後面側壁
１０Ａ      落雪防止板
１０Ｂ      落雪防止板
１０Ｃ      落雪防止板
１１        有孔板（雪受け面）
１１ａ      孔
１１ｂ      立設板
１１ｃ      水下端（折板屋根水下端側の端部）
１１ｄ      水上端（折板屋根水上端側の端部）
１２・１３  延設部
１２ａ      下ハゼ締め固定部（被固定部、ハゼ締め固定部）
１２ｂ      下固定部（被固定部）
１３ａ      上ハゼ締め固定部（被固定部、ハゼ締め固定部）
１３ｂ      上固定部（被固定部）
２０Ａ      折板屋根
２０Ｂ      折板屋根
２０Ｃ      折板屋根
２１ａ      下ハゼ用縁部（ハゼ締め部）
２１ｂ      下縁部
２２ａ      上ハゼ用縁部（ハゼ締め部）
２２ｂ      上縁部
２３        折板屋根谷部
２３ａ      折板屋根谷底部
２４        折板屋根頂部
２５        折板屋根水下端
２６        ボルト
２７        ナット
２８        ブラインドリベット
Ｐ        空気層
Ｓ        スリット
【図１】
2015025342.tif 000003
【図２】
2015025342.tif 000004
【図３】
2015025342.tif 000005
【図４】
2015025342.tif 000006
【図６】
2015025342.tif 000007
【図７】
2015025342.tif 000008
【図８】
2015025342.tif 000009
【図９】
2015025342.tif 000010
【図１０】
2015025342.tif 000011
【図１１】
2015025342.tif 000012
【図１２】
2015025342.tif 000013
【図１３】
2015025342.tif 000014
【図５】
2015025342.tif 000015